(57)【要約】【課題】表示パネル内における輝度差を減少させることが可能な、表示パネル駆動方法、および表示装置を提供する。【解決手段】それぞれのフレームごとに表示パネルの複数のゲートラインに順次にゲート信号を印加するステップと、表示パネルのデータラインにデータ電圧を印加するステップと、表示パネルにフレームの周期と非同期であり極性が反転される共通電圧を印加するステップと、を有する表示パネル駆動方法が提供される。【選択図】図４
2012098696.tif 000002
【特許請求の範囲】
【請求項１】
それぞれのフレームごとに表示パネルの複数のゲートラインに順次にゲート信号を印加するステップと、
前記表示パネルのデータラインにデータ電圧を印加するステップと、
前記表示パネルに前記フレームの周期と非同期であり極性が反転される共通電圧を印加するステップと、
を有することを特徴とする、表示パネル駆動方法。
【請求項２】
前記共通電圧の極性が反転される時点に前記ゲート信号が印加されるゲートラインは、隣接する前記フレームにおいて相異なることを特徴とする、請求項１に記載の表示パネル駆動方法。
【請求項３】
前記共通電圧の極性が反転される時点に前記ゲート信号が印加されるゲートラインは、Ｒ（Ｒは２以上の整数）個の間隔の前記フレームにおいて相互に同一であることを特徴とする、請求項２に記載の表示パネル駆動方法。
【請求項４】
前記共通電圧の極性が反転される時点から前記複数のゲートラインのそれぞれに前記ゲート信号が印加されるときまでの平均時間は、前記複数のゲートラインのそれぞれに対して相互に同一であることを特徴とする、請求項２に記載の表示パネル駆動方法。
【請求項５】
前記共通電圧の極性が反転される周期は、前記フレームの周期より小さく、前記フレームの周期の半分より大きいことを特徴とする、請求項１に記載の表示パネル駆動方法。
【請求項６】
前記共通電圧の極性が反転される周期は、前記フレームの周期より大きく、前記フレームの周期の１．５倍より小さいことを特徴とする、請求項１に記載の表示パネル駆動方法。
【請求項７】
前記共通電圧の極性が反転される周期は、前記フレームの周期を決める垂直同期信号の周期より小さく、前記垂直同期信号の周期の半分より大きいことを特徴とする、請求項１に記載の表示パネル駆動方法。
【請求項８】
前記共通電圧の極性が反転される周期は、前記垂直同期信号の周期より大きく、前記垂直同期信号の周期の１．５倍より小さいことを特徴とする、請求項１に記載の表示パネル駆動方法。
【請求項９】
前記共通電圧は、前記表示パネルに含まれる全ての画素に共通に印加されることを特徴とする、請求項１に記載の表示パネル駆動方法。
【請求項１０】
前記共通電圧の極性が反転される周期は、前記フレームの周期より前記ゲート信号が印加される周期の整数倍小さく、前記フレームの周期の半分より大きいことを特徴とする、請求項９に記載の表示パネル駆動方法。
【請求項１１】
前記共通電圧の極性が反転される周期は、前記フレームの周期より前記ゲート信号が印加される周期の整数倍大きく、前記フレームの周期の１．５倍より小さいことを特徴とする、請求項９に記載の表示パネル駆動方法。
【請求項１２】
前記共通電圧の極性が反転される周期は、前記フレームの周期を決める垂直同期信号の周期より前記ゲート信号が印加される周期の整数倍小さく、前記垂直同期信号の周期の半分より大きいことを特徴とする、請求項９に記載の表示パネル駆動方法。
【請求項１３】
前記共通電圧の極性が反転される周期は、前記垂直同期信号の周期より前記ゲート信号が印加される周期の整数倍大きく、前記垂直同期信号の周期の１．５倍より小さいことを特徴とする、請求項９に記載の表示パネル駆動方法。
【請求項１４】
前記共通電圧は、第１ゲートラインに接続される画素に共通に印加される第１共通電圧および前記第１ゲートラインと交互に配置される第２ゲートラインに接続される画素に共通に印加される第２共通電圧を含み、
前記第１共通電圧および前記第２共通電圧は、相互に同一な周期によって極性が反転され、前記ゲート信号が印加される周期の時間間隔の距離をおいて相互反対極性反転されることを特徴とする、請求項１に記載の表示パネル駆動方法。
【請求項１５】
前記第１共通電圧および前記第２共通電圧の極性が反転される周期は、前記フレームの周期より前記ゲート信号が印加される周期の整数倍小さく、前記フレームの周期の半分より大きいことを特徴とする、請求項１４に記載の表示パネル駆動方法。
【請求項１６】
前記第１共通電圧および前記第２共通電圧の極性が反転される周期は、前記フレームの周期より前記ゲート信号が印加される周期の整数倍大きく、前記フレームの周期の１．５倍より小さいことを特徴とする、請求項１４に記載の表示パネル駆動方法。
【請求項１７】
前記第１共通電圧および前記第２共通電圧の極性が反転される周期は、前記フレームの周期を決める垂直同期信号の周期より前記ゲート信号が印加される周期の整数倍小さく、前記垂直同期信号の周期の半分より大きいことを特徴とする、請求項１４に記載の表示パネル駆動方法。
【請求項１８】
前記第１共通電圧および前記第２共通電圧の極性が反転される周期は、前記垂直同期信号の周期より前記ゲート信号が印加される周期の整数倍大きく、前記垂直同期信号の周期の１．５倍より小さいことを特徴とする、請求項１４に記載の表示パネル駆動方法。
【請求項１９】
複数のゲートラインおよびデータラインに接続される複数の画素を含む表示パネルと、
それぞれのフレームごとに前記複数のゲートラインに順次にゲート信号を印加し、前記複数のデータラインにデータ電圧を印加し、前記複数の画素に前記フレームの周期と非同期であり極性が反転される共通電圧を印加する駆動ユニットと、
を備えることを特徴とする、表示装置。
【請求項２０】
前記共通電圧の極性が反転される時点から前記複数のゲートラインそれぞれに前記ゲート信号が印加されるときまでの平均時間は、前記複数のゲートラインのそれぞれに対して相互に同一であることを特徴とする、請求項１９に記載の表示装置。
【発明の詳細な説明】
【技術分野】
【０００１】
本発明は、表示パネル駆動方法、および表示装置に関する。
【背景技術】
【０００２】
一般的に、液晶表示装置は、２つの基板の間に異方性誘電率を有する液晶層が介在された表示パネルと表示パネルを駆動する駆動ユニットとを含み、２つの基板の間に電界を形成して電界の強さによる液晶層の光透過率を調節することによって映像を表示する。
【０００３】
このとき、液晶層に持続的に同一な極性の電圧が印加されると、液晶層に含まれる液晶物質が劣化する恐れがある。このような液晶物質の劣化を防止するために、一定な周期で液晶層に印加される電界の極性を反転させる方式（極性反転方式）が一般的に用いられている。極性反転方式としては、例えば、フレーム反転方式や、ライン反転方式、ドット反転方式が挙げられる。
【０００４】
しかしながら、上記のような従来の極性反転方式では、共通電圧が画素電極と共通電極との間で形成される電界の極性を反転させる方式であることによって、表示パネルの下部にある画素に印加される実効電圧が、表示パネルの上部にある画素に印加される実効電圧より低くなる可能性がある。よって、上記のような従来の極性反転方式が用いられる表示パネルでは、表示パネルの下部における輝度が、表示パネルの上部における輝度よりも低くなる恐れがある。
【先行技術文献】
【特許文献】
【０００５】
【特許文献１】韓国公開特許第２００８−００６１０４１号公報
【特許文献２】韓国公開特許第２００２−００２７２７５号公報
【特許文献３】特開２００９−００７５５８０号公報
【特許文献４】韓国登録特許第０８８２６９９号公報
【発明の概要】
【発明が解決しようとする課題】
【０００６】
本発明は、上記問題に鑑みてなされたものであり、本発明の目的とするところは、表示パネル内における輝度差を減少させることが可能な、新規かつ改良された表示パネル駆動方法、および表示装置を提供することにある。
【課題を解決するための手段】
【０００７】
上記目的を達成するために、本発明の第１の観点によれば、それぞれのフレームごとに表示パネルの複数のゲートラインに順次にゲート信号を印加するステップと、上記表示パネルのデータラインにデータ電圧を印加するステップと、上記表示パネルに上記フレームの周期と非同期であり極性が反転される共通電圧を印加するステップと、を有する表示パネル駆動方法が提供される。
【０００８】
また、上記共通電圧の極性が反転される時点に上記ゲート信号が印加されるゲートラインは、隣接する上記フレームにおいて相異なってもよい。
【０００９】
また、上記共通電圧の極性が反転される時点に上記ゲート信号が印加されるゲートラインは、Ｒ（Ｒは２以上の整数）個の間隔の上記フレームにおいて相互に同一であってもよい。
【００１０】
また、上記共通電圧の極性が反転される時点から上記複数のゲートラインのそれぞれに上記ゲート信号が印加されるときまでの平均時間は、上記複数のゲートラインのそれぞれに対して相互に同一であってもよい。
【００１１】
また、上記共通電圧の極性が反転される周期は、上記フレームの周期より小さく、上記フレームの周期の半分より大きくてもよい。
【００１２】
また、上記共通電圧の極性が反転される周期は、上記フレームの周期より大きく、上記フレームの周期の１．５倍より小さくてもよい。
【００１３】
また、上記共通電圧の極性が反転される周期は、上記フレームの周期を決める垂直同期信号の周期より小さく、上記垂直同期信号の周期の半分より大きくてもよい。
【００１４】
また、上記共通電圧の極性が反転される周期は、上記垂直同期信号の周期より大きく、上記垂直同期信号の周期の１．５倍より小さくてもよい。
【００１５】
また、上記共通電圧は、上記表示パネルに含まれる全ての画素に共通に印加されてもよい。
【００１６】
また、上記共通電圧の極性が反転される周期は、上記フレームの周期より上記ゲート信号が印加される周期の整数倍小さく、上記フレームの周期の半分より大きくてもよい。
【００１７】
また、上記共通電圧の極性が反転される周期は、上記フレームの周期より上記ゲート信号が印加される周期の整数倍大きく、上記フレームの周期の１．５倍より小さくてもよい。
【００１８】
また、上記共通電圧の極性が反転される周期は、上記フレームの周期を決める垂直同期信号の周期より上記ゲート信号が印加される周期の整数倍小さく、上記垂直同期信号の周期の半分より大きくてもよい。
【００１９】
また、上記共通電圧の極性が反転される周期は、上記垂直同期信号の周期より上記ゲート信号が印加される周期の整数倍大きく、上記垂直同期信号の周期の１．５倍より小さくてもよい。
【００２０】
また、上記共通電圧は、第１ゲートラインに接続される画素に共通に印加される第１共通電圧および上記第１ゲートラインと交互に配置される第２ゲートラインに接続される画素に共通に印加される第２共通電圧を含み、上記第１共通電圧および上記第２共通電圧は、相互に同一な周期によって極性が反転され、上記ゲート信号が印加される周期の時間間隔の距離をおいて相互反対極性反転されてもよい。
【００２１】
また、上記第１共通電圧および上記第２共通電圧の極性が反転される周期は、上記フレームの周期より上記ゲート信号が印加される周期の整数倍小さく、上記フレームの周期の半分より大きくてもよい。
【００２２】
また、上記第１共通電圧および上記第２共通電圧の極性が反転される周期は、上記フレームの周期より上記ゲート信号が印加される周期の整数倍大きく、上記フレームの周期の１．５倍より小さくてもよい。
【００２３】
また、上記第１共通電圧および上記第２共通電圧の極性が反転される周期は、上記フレームの周期を決める垂直同期信号の周期より上記ゲート信号が印加される周期の整数倍小さく、上記垂直同期信号の周期の半分より大きくてもよい。
【００２４】
また、上記第１共通電圧および上記第２共通電圧の極性が反転される周期は、上記垂直同期信号の周期より上記ゲート信号が印加される周期の整数倍大きく、上記垂直同期信号の周期の１．５倍より小さくてもよい。
【００２５】
また、上記目的を達成するために、本発明の第２の観点によれば、複数のゲートラインおよびデータラインに接続される複数の画素を含む表示パネルと、それぞれのフレームごとに上記複数のゲートラインに順次にゲート信号を印加し、上記複数のデータラインにデータ電圧を印加し、上記複数の画素に上記フレームの周期と非同期であり極性が反転される共通電圧を印加する駆動ユニットと、を備える表示装置が提供される。
【００２６】
また、上記共通電圧の極性が反転される時点から上記複数のゲートラインそれぞれに上記ゲート信号が印加されるときまでの平均時間は、上記複数のゲートラインのそれぞれに対して相互に同一であってもよい。
【発明の効果】
【００２７】
本発明によれば、表示パネル内における輝度差を減少させることができる。より具体的には、本発明によれば、フレーム周期と非同期であり極性が反転される共通電圧を用いて共通電圧の極性が反転される時点をあるフレーム周期内において均等に分散させることによって、表示パネルの上部と下部との間に発生する輝度差を効率的に減少させることができる。
【００２８】
また、本発明によれば、表示パネルの上部と下部との間に発生する輝度差を減少させることによって高画質の映像を提供することができる。
【図面の簡単な説明】
【００２９】
【図１】本発明の一実施形態に係る表示装置を示したブロック図である。
【図２】図１の表示装置に含まれる表示パネルの下部基板を示した図面である。
【図３】図１の表示装置に含まれる表示パネルの上部基板を示した図面である。
【図４】本発明の一実施形態に係る表示パネル駆動方法を示したフローチャートである。
【図５】図１の表示装置に含まれる表示パネルの上部基板の一形態を示した図面である。
【図６】従来の技術に係る図５の上部基板を含む表示パネルのフレームの反転方式駆動方法を説明するためのタイミング図である。
【図７】図６の表示パネル駆動方法に係る共通電圧の極性変化を示した図面である。
【図８】図６の表示パネル駆動方法に係る共通電圧の極性変化を示した図面である。
【図９】図６の表示パネル駆動方法に係る共通電圧の極性変化を示した図面である。
【図１０】図６の表示パネル駆動方法に係る共通電圧の極性変化を示した図面である。
【図１１】本発明の一実施形態に係る図５の上部基板を含む表示パネルのフレームの反転方式駆動方法を説明するためのタイミング図である。
【図１２】図１１の表示パネル駆動方法に係る共通電圧の極性変化を示した図面である。
【図１３】図１１の表示パネル駆動方法に係る共通電圧の極性変化を示した図面である。
【図１４】図１１の表示パネル駆動方法に係る共通電圧の極性変化を示した図面である。
【図１５】図１１の表示パネル駆動方法に係る共通電圧の極性変化を示した図面である。
【図１６】図１の表示装置に含まれる表示パネルの上部基板の他の形態を示した図面である。
【図１７】従来の技術に係る図１６の上部基板を含む表示パネルのライン反転方式駆動方法を説明するためのタイミング図である。
【図１８】図１７の表示パネル駆動方法に係る共通電圧の極性変化を示した図面である。
【図１９】図１７の表示パネル駆動方法に係る共通電圧の極性変化を示した図面である。
【図２０】図１７の表示パネル駆動方法に係る共通電圧の極性変化を示した図面である。
【図２１】図１７の表示パネル駆動方法に係る共通電圧の極性変化を示した図面である。
【図２２】本発明の一実施形態に係る図１６の上部基板を含む表示パネルのライン反転方式駆動方法を説明するためのタイミング図である。
【図２３】図２２の表示パネル駆動方法に係る共通電圧の極性変化を示した図面である。
【図２４】図２２の表示パネル駆動方法に係る共通電圧の極性変化を示した図面である。
【図２５】図２２の表示パネル駆動方法に係る共通電圧の極性変化を示した図面である。
【図２６】図２２の表示パネル駆動方法に係る共通電圧の極性変化を示した図面である。
【図２７】図１の表示装置を含む電子機器を示したブロック図である。
【発明を実施するための形態】
【００３０】
以下に添付図面を参照しながら、本発明の好適な実施の形態について詳細に説明する。なお、本明細書および図面において、実質的に同一の機能構成を有する構成要素については、同一の符号を付することにより重複説明を省略する。また、本発明は、多様な変更を加えることができ、様々な形態を有することができるが、特定の実施形態を図面に例示して本明細書で詳細に説明する。しかし、これは本発明を特定の開示形態に限定しようとするものではなく、本発明の思想および技術範囲に含まれる全ての変更、均等物、あるいは代替物を含むものとして理解せねばならない。
【００３１】
以下では、例えば、第１、第２などの用語を多様な構成要素を説明するために使用するが、これらの構成要素は用語によって限定されてはならない。用語は、例えば、１つの構成要素を他の構成要素から区別する目的として使用される。例えば、本発明の権利範囲から逸脱せずに第１構成要素は第２構成要素と命名することができ、同様に第２構成要素も第１構成要素と命名することができる。
【００３２】
また、ある構成要素が他の構成要素に「接続され」る、または「接続されて」いると言及した場合には、その他の構成要素に直接的に接続されたり、または接続されていたりすることもあるが、中間に他の構成要素が存在することもあると理解すべきである。一方、ある構成要素が他の構成要素に「直接接続され」る、または「直接接続されて」いると言及した場合には、中間に他の構成要素が存在しないことと理解すべきである。また、構成要素の間の関係を説明する他の表現、すなわち「〜間に」と「すぐに〜間に」、または「〜に隣接する」と「〜に直接隣接する」等も同一なように解釈すべきである。
【００３３】
本明細書で使用する用語は単に特定の実施形態を説明するために使用するものであり、本発明を限定しようとする意図ではない。単数の表現は文脈上明白に異なるように意味しない限り、複数の表現を含む。本明細書で、「含む」または「有する」等の用語は明細書上に記載した特徴、数字、段階、動作、構成要素、部品、またはこれらを組み合わせたものが存在することを指定しようとするものであって、１つまたはそれ以上の他の特徴や数字、段階、動作、構成要素、部品、またはこれらを組み合わせたものなどの存在、または付加の可能性を、予め排除しないことと理解すべきである。
【００３４】
特に定義しない限り、技術的あるいは科学的用語を含んで、ここで使用する全ての用語は、本発明が属する技術分野で通常の知識を有する者であれば、一般的に理解されることと同一な意味を有する。一般的に使用される辞書において定義する用語と同一な用語は関連技術の文脈上に有する意味と一致する意味を有することと理解すべきであり、本明細書において明白に定義しない限り、理想的あるいは形式的な意味として解釈してはならない。
【００３５】
図１は、本発明の一実施形態に係る表示装置を示したブロック図である。図２は、図１の表示装置に含まれる表示パネルの下部基板を示した図面であり、図３は、図１の表示装置に含まれる表示パネルの上部基板を示した図面である。
【００３６】
図１を参照すると、表示装置１０は、表示パネル１００と、表示パネル１００を駆動するための駆動ユニット２００とを含む。
【００３７】
表示パネル１００は、第１方向に配列される複数のゲートラインＧＬ１、…、ＧＬｎと、第１方向と交差する方向の第２方向に配列される複数のデータラインＤＬ１、…、ＤＬｍと、複数のゲートラインＧＬ１、…、ＧＬｎおよび複数のデータラインＤＬ１、…、ＤＬｍのそれぞれに接続されてマトリクス状に形成される複数の画素Ｐを含む。複数の画素Ｐのそれぞれは、対応するゲートラインＧＬおよびデータラインＤＬに接続されるスイッチング素子Ｑと、スイッチング素子Ｑに接続される液晶キャパシタＣＬＣと、ストレージキャパシタＣＳＴとを含む。
【００３８】
表示パネル１００は、複数のゲートラインＧＬ１、…、ＧＬｎ、複数のデータラインＤＬ１、…、ＤＬｍ、スイッチング素子Ｑおよび画素電極が配列された下部基板１１０と、共通電極が配列された上部基板１２０と、下部基板１１０と上部基板１２０との間に形成された液晶層１３０とを含む。
【００３９】
図２を参照すると、下部基板１１０は複数のゲートラインＧＬ１、…、ＧＬｎと複数のデータラインＤＬ１、…、ＤＬｍとの交差領域のそれぞれに形成される複数の画素Ｐ１、Ｐ２、Ｐ３、Ｐ４を含む。それぞれの画素は、スイッチング素子Ｑおよび画素電極ＰＥを含む。スイッチング素子Ｑは、例えば、対応するゲートラインＧＬに接続されるゲート電極１１１と、対応するデータラインＤＬに接続されるソース電極１１３と、対応する画素電極ＰＥとストレージキャパシタＣＳＴとに接続されるドレーン電極１１５と、を含む薄膜トランジスタ（Ｔｈｉｎ  Ｆｉｌｍ  Ｔｒａｎｓｉｓｔｏｒ；ＴＦＴ）であってもよい。
【００４０】
図３を参照すると、上部基板１２０は、下部基板１１０の画素電極ＰＥに対向する共通電極ＣＥ１、…、ＣＥｎを含む。共通電極ＣＥ１、ＣＥ２、…、ＣＥｎは、複数のゲートラインＧＬ１、…、ＧＬｎと平行となるように相互に離隔されて配置される。例えば、第１共通電極ＣＥ１は、ゲートラインＧＬ１が延長された方向に配列された画素電極ＰＥと対向される。
【００４１】
液晶キャパシタＣＬＣは、下部基板１１０に形成される画素電極ＰＥを第１電極とし、上部基板１２０に形成され画素電極ＰＥと対向する共通電極ＣＥを第２電極とし、第１電極と第２電極との間に形成される液晶層を誘電体として、一定な静電容量を有するように構成される。ストレージキャパシタＣＳＴは、例えば液晶キャパシタＣＬＣに充電された電圧を維持する。
【００４２】
また再度図１を参照すると、駆動ユニット２００は、制御部２１０（ＣＯＮＴＲＯＬＬＥＲ）と、電圧生成部２２０（ＶＯＬＴＡＧＥ  ＧＥＮＥＲＡＴＯＲ）と、ゲート駆動部２３０（ＧＡＴＥ  ＤＲＩＶＥＲ）と、データ駆動部２４０（ＤＡＴＡ  ＤＲＩＶＥＲ）とを含む。
【００４３】
制御部２１０は、例えば、外部のグラフィック装置のような画像ソースから入力制御信号ＣＯＮＴおよび入力映像信号ＤＡＴＡ１を受信する。入力制御信号ＣＯＮＴは、例えば、メインクロック信号、垂直同期信号ＶＳＹＮＣ、水平同期信号ＨＳＹＮＣ、およびデータイネーブル信号を含むことができる。制御部２１０は、入力映像信号ＤＡＴＡ１に基づいて表示パネル１００の動作条件に合うデジタル形態のデータ信号ＤＡＴＡ２を生成してデータ駆動部２４０に伝達する。また、制御部２１０は、入力制御信号ＣＯＮＴに基づいてゲート駆動部２３０の駆動タイミングを制御するための第１制御信号ＣＯＮＴ１、データ駆動部２４０の駆動タイミングを制御するための第２制御信号ＣＯＮＴ２、および電圧生成部２２０を制御するための第３制御信号ＣＯＮＴ３を生成する。そして、制御部２１０は、第１制御信号ＣＯＮＴ１をゲート駆動部２３０に、第２制御信号ＣＯＮＴ２をデータ駆動部２４０に、第３制御信号ＣＯＮＴ３を電圧生成部２２０に、それぞれ伝達する。
【００４４】
電圧生成部２２０には外部電源が供給され、外部電源に基づいて、ゲート駆動部２３０を駆動するためのゲート駆動電圧ＶＧと、データ駆動部２４０を駆動するためのデータ駆動電圧ＶＤとを生成する。そして、電圧生成部２２０は、ゲート駆動電圧ＶＧをゲート駆動部２３０に供給し、データ駆動電圧ＶＤをデータ駆動部２４０に供給する。また、電圧生成部２２０は、ストレージ電圧ＶＳＴを生成し、生成したストレージ電圧ＶＳＴを表示パネル１００のストレージキャパシタＣＳＴに供給する。また、電圧生成部２２０は、垂直同期信号ＶＳＹＮＣと相異なる周期を有し、垂直同期信号ＶＳＹＮＣと非同期であり極性が反転される共通電圧ＶＣＯＭを生成し、生成した共通電圧ＶＣＯＭを表示パネル１００の上部基板１２０に形成される共通電極ＣＥに提供する。垂直同期信号ＶＳＹＮＣの一周期の間、あるフレーム分のデータ信号ＤＡＴＡ２に対応する画像が表示パネル１００に表示されるので、それぞれのフレームは垂直同期信号ＶＳＹＮＣに基づいて区分される。したがって、電圧生成部２２０が生成する共通電圧ＶＣＯＭは、フレーム周期と相異なる周期を有し、フレーム周期と非同期であり極性が反転される。
【００４５】
ゲート駆動部２３０は、制御部２１０から受信される第１制御信号ＣＯＮＴ１および電圧発生部２２０から受信されるゲート駆動電圧ＶＧに基づいて、それぞれのフレームごとに複数のゲートラインＧＬ１、…、ＧＬｎに順次にゲート信号を印加する。
【００４６】
データ駆動部２４０は、制御部２１０から受信される第２制御信号ＣＯＮＴ２および電圧発生部２２０から受信されるデータ駆動電圧ＶＤに基づいて、制御部２１０から受信されるデータ信号ＤＡＴＡ２をアナログ形態のデータ電圧に変換し、複数のデータラインＤＬ１、…、ＤＬｍにデータ電圧を印加する。
【００４７】
以下、表示パネル１００の動作に対して簡略に説明する。
【００４８】
複数のゲートラインＧＬ１、…、ＧＬｎのうち特定のゲートラインにゲート信号が印加され複数のデータラインＤＬ１、…、ＤＬｍにデータ電圧が印加されると、特定ゲートラインに接続された画素Ｐに含まれるスイッチング素子Ｑがターンオンされて特定ゲートラインに接続された画素Ｐの画素電極ＰＥにデータ電圧が印加される。これと同期して、共通電極ＣＥに共通電圧ＶＣＯＭが印加されると、画素電極ＰＥと共通電極ＣＥとの間に電界が形成されて液晶キャパシタＣＬＣが充電され、これにより液晶層１３０の分子配列が変化されて下部から入射された光の透過率が変更されることによって、画像が表示される。
【００４９】
このとき、液晶層１３０に持続的に同一な極性の電圧が印加されると、液晶層１３０に含まれる液晶物質が劣化する恐れがある。このような液晶物質の劣化を防止するために、電圧生成部２２０は、一定な周期で極性が反転される共通電圧ＶＣＯＭを生成して共通電極ＣＥに印加することによって液晶層１３０に印加される電界の極性を反転させる。
【００５０】
図４は、本発明の一実施形態に係る表示パネル駆動方法を示したフローチャートである。
【００５１】
図４を参照すると、ゲート駆動部２３０は、制御部２１０から受信される第１制御信号ＣＯＮＴ１および電圧生成部２２０から受信されるゲート駆動電圧ＶＧに基づいて、それぞれのフレームごとに表示パネル１００に含まれる複数のゲートラインＧＬ１、…、ＧＬｎに順次にゲート信号を印加する（ステップＳ１００）。データ駆動部２４０は、制御部２１０から受信される第２制御信号ＣＯＮＴ２および電圧発生部２２０から受信されるデータ駆動電圧ＶＤに基づいて、制御部２１０から受信されるデータ信号ＤＡＴＡ２をアナログ形態のデータ電圧に変換し複数のデータラインＤＬ１、…、ＤＬｍにデータ電圧を印加する（ステップＳ２００）。電圧生成部２２０は、表示パネル１００の上部基板１２０に形成される共通電極ＣＥにフレームの周期と非同期であり極性が反転される共通電圧ＶＣＯＭを印加する（ステップＳ３００）。
【００５２】
なお、図４では、各ステップが順次に行われることを示しているが、本発明の実施形態に係る表示パネル駆動方法は、上記に限られない。例えば、本発明の実施形態に係る表示パネル駆動方法は、各ステップを同時に行うことができ、また、図４に示す順序とは異なる順序で各ステップを行うことも可能である。
【００５３】
上述したように、フレームの周期は、例えば、外部から制御部２１０が受信する垂直同期信号ＶＳＹＮＣに基づいて決定される。すなわち、垂直同期信号ＶＳＹＮＣの一周期の間、複数のゲートラインＧＬ１、…、ＧＬｎを順次に一回ずつ選択して複数のデータラインＤＬ１、…、ＤＬｍにデータ電圧を印加することによって、垂直同期信号ＶＳＹＮＣの一周期の間、あるフレーム分の映像（画像）が、表示パネル１００に表示される。したがって、表示パネル１００に印加される共通電圧ＶＣＯＭの極性反転周期は、垂直同期信号ＶＳＹＮＣの周期と相異なり、垂直同期信号ＶＳＹＮＣと非同期であり、極性が反転される。
【００５４】
共通電圧ＶＣＯＭは、フレームの周期と相異なる周期によって極性が反転されるため、あるフレーム内で共通電圧ＶＣＯＭの極性が反転される時点は隣接するフレームにおいて相異なる。すなわち、共通電圧ＶＣＯＭの極性が反転される時点にゲート信号が印加されるゲートラインは、隣接するフレームにおいて相異なる。また、フレームの周期と共通電圧ＶＣＯＭの極性反転周期の最小公倍数の時間に対応する個数（Ｒ、Ｒは２以上の整数）のフレームが過ぎると、フレーム内で共通電圧ＶＣＯＭの極性が反転される時点はＲ個の以前のフレーム内で共通電圧ＶＣＯＭの極性が反転される時点と相互に同一である。すなわち、共通電圧ＶＣＯＭの極性が反転される時点にゲート信号が印加されるゲートラインは、Ｒ個間隔のフレームにおいて相互に同一である。したがって、共通電圧ＶＣＯＭの極性が反転される時点は、あるフレーム周期内で均等に分散するため、共通電圧ＶＣＯＭの極性が反転される時点から複数のゲートラインＧＬ１、…、ＧＬｎのそれぞれにゲート信号が印加されて液晶キャパシタＣＬＣが再充電（ｒｅｃｈａｒｇｅ）されるときまでの平均時間は、複数のゲートラインＧＬ１、…、ＧＬｎのそれぞれに対して相互に同一である。
【００５５】
一方、共通電圧ＶＣＯＭの極性が反転される周期がフレームの周期の半分より小さいと電力消耗が増加し、共通電圧ＶＣＯＭの極性が反転される周期がフレームの周期の１．５倍より大きいと液晶物質の劣化を防止することが困難となる。したがって、共通電圧ＶＣＯＭの極性が反転される周期は、例えば、フレームの周期より小さくフレームの周期の半分より大きかったり、フレームの周期より大きくフレームの周期の１．５倍より小さいこともある。フレームの周期は、垂直同期信号ＶＳＹＮＣに基づいて決められるため、共通電圧ＶＣＯＭの極性が反転される周期は、例えば、垂直同期信号ＶＳＹＮＣの周期より小さく垂直同期信号ＶＳＹＮＣの周期の半分より大きかったり、垂直同期信号ＶＳＹＮＣの周期より大きく垂直同期信号ＶＳＹＮＣの周期の１．５倍より小さくてもよい。
【００５６】
従来の表示パネル駆動方法は、一般的にフレーム周期と同期され極性が反転される共通電圧を用いてフレーム反転、または、ライン反転を実現する。すなわち、フレームの開始時点に共通電圧の極性が反転されて、あるフレーム周期の間、共通電圧は同一に維持され次のフレームの開始時点に共通電圧の極性が再び反転される。この場合、共通電圧の極性が反転される時点から複数のゲートラインのそれぞれにゲート信号が印加されて液晶キャパシタが再充電される時までの平均時間は、表示パネルの上部に位置するゲートラインは短く表示パネルの下部に位置するゲートラインは長くされ表示パネルの上部と下部との間に輝度差が発生する。
【００５７】
これに対して、上述したように、本発明の一実施形態に係る表示パネル駆動方法は、フレーム周期と非同期であり極性が反転される共通電圧ＶＣＯＭを用いるため、共通電圧ＶＣＯＭの極性が反転される時点から複数のゲートラインＧＬ１、…、ＧＬｎのそれぞれにゲート信号が印加されて液晶キャパシタＣＬＣが再充電されるときまでの平均時間は、複数のゲートラインＧＬ１、…、ＧＬｎのそれぞれに対して相互に同一となる。よって、本発明の一実施形態に係る表示パネル駆動方法が用いられることによって、表示パネルの上部と下部との間の輝度差は、減少される。
【００５８】
図５は、図１の表示装置に含まれる表示パネルの上部基板の一形態を示した図面である。
【００５９】
図５を参照すると、上部基板１２０ａは下部基板１１０の画素電極ＰＥに対向する共通電極ＣＥ１、…、ＣＥｎと、１つの共通電圧ラインＶＣＬとを含む。共通電極ＣＥ１、…、ＣＥｎは、全部共通電圧ラインＶＣＬに接続される。
【００６０】
電圧生成部２２０は、１つの共通電圧ＶＣＯＭを生成し、生成した共通電圧ＶＣＯＭを共通電圧ラインＶＣＬに印加する。したがって、共通電圧ＶＣＯＭは、表示パネル１００に含まれる全ての画素Ｐに共通に印加される。表示パネル１００が図５に示されたような上部基板１２０ａを含む場合、表示パネル１００はフレーム反転方式で駆動される。
【００６１】
図６は、従来技術に係る図５の上部基板を含む表示パネルのフレーム反転方式駆動方法を説明するためのタイミング図である。また、図７、図８、図９および図１０は、図６の表示パネル駆動方法に係る共通電圧の極性変化を示した図面である。
【００６２】
図６を参照すると、それぞれのフレームごとに複数のゲートラインＧＬ１、…、ＧＬｎに順次に一定な周期Ｔによってゲート信号が印加される。共通電圧ＶＣＯＭは、フレーム周期と同期され極性が反転される。フレーム周期と共通電圧ＶＣＯＭの極性反転周期は同一であり、それぞれのフレーム内で共通電圧ＶＣＯＭの極性が反転される時点は同一である。すなわち、全てのフレームにおいて同一に最上部ゲートラインＧＬ１にゲート信号が印加される時共通電圧ＶＣＯＭの極性が反転される。
【００６３】
図６に示された通り、ｋ番目のフレームおよびｋ＋２番目のフレームにおいて共通電圧ＶＣＯＭは正の極性を有し、ｋ＋１番目のフレームおよびｋ＋３番目のフレームにおいて共通電圧ＶＣＯＭは負の極性を有する。したがって、図７、図８、図９および図１０に示された通り、ｋ番目のフレームおよびｋ＋２番目のフレームにおいては、全ての画素に印加される共通電圧ＶＣＯＭは正の極性を有し、ｋ＋１番目のフレームおよびｋ＋３番目のフレームにおいては、全ての画素に印加される共通電圧ＶＣＯＭは負の極性を有するようにされて表示パネル１００はフレーム反転方式で駆動される。
【００６４】
一般的に、表示パネル１００にはそれぞれのゲートラインＧＬとスイッチング素子Ｑのドレーン電極１１５との間、およびそれぞれのデータラインＤＬとスイッチング素子Ｑのドレーン電極１１５との間に寄生キャパシタが存在する。したがって、液晶キャパシタＣＬＣに保存された電圧はあるフレームにおいて充電された後、次のフレームにおいて再充電されるときまで一定に維持されるべきであるにもかかわらず、寄生キャパシタによるカップリング効果によって共通電圧ＶＣＯＭの極性が反転された以後に、液晶キャパシタＣＬＣに保存された電圧は低くなる。液晶キャパシタＣＬＣに保存された電圧が低くなると、その分輝度も低くなる。
【００６５】
図６に示されたような方式で表示パネル１００が駆動される場合、共通電圧ＶＣＯＭの極性が反転される時点から複数のゲートラインＧＬ１、…、ＧＬｎのそれぞれにゲート信号が印加されて液晶キャパシタＣＬＣが再充電されるときまでの平均時間は、表示パネル１００の最上部に位置するゲートラインＧＬ１に接続される液晶キャパシタＣＬＣが最も短く、液晶キャパシタＣＬＣが接続されるゲートラインが表示パネル１００の下部に位置するほど平均時間は長くなり、表示パネル１００の最下部に位置するゲートラインＧＬｎに接続される液晶キャパシタＣＬＣが最も長くなる。したがって、表示パネル１００の下部が上部に比べて液晶キャパシタＣＬＣに保存された電圧が低くなる区間が長くなり、表示パネル１００の下部に位置する液晶キャパシタＣＬＣの実効電圧が表示パネル１００の上部に位置する液晶キャパシタＣＬＣの実効電圧に比べて低くなる。これによって、表示パネル１００の下部が上部に比べて輝度が低くなる問題点が発生する。
【００６６】
図１１は、本発明の一実施形態に係る図５の上部基板を含む表示パネルのフレーム反転方式駆動方法を説明するためのタイミング図である。図１２、図１３、図１４および図１５は、図１１の表示パネル駆動方法に係る共通電圧の極性の変化を示した図面である。
【００６７】
図５を参照して説明したように、共通電圧ＶＣＯＭは、表示パネル１００に含まれる全ての画素Ｐに共通に印加される。
【００６８】
図１１を参照すると、それぞれのフレームごとに複数のゲートラインＧＬ１、…、ＧＬｎに順次に一定な周期Ｔによってゲート信号が印加される。共通電圧ＶＣＯＭは、フレーム周期と非同期であり極性が反転される。
【００６９】
図１１は、共通電圧ＶＣＯＭの極性が反転される周期がフレームの周期よりゲート信号が印加される周期Ｔほど小さい場合を示している。フレーム周期と共通電圧ＶＣＯＭの極性反転周期は相異なり、それぞれのフレーム内で共通電圧ＶＣＯＭの極性が反転される時点は隣接するフレームにおいて相異なる。すなわち、共通電圧ＶＣＯＭの極性が反転される時点にゲート信号が印加されるゲートラインは隣接するフレームにおいて相異なる。また、複数のゲートラインＧＬ１、…、ＧＬｎの個数がｎの場合、共通電圧ＶＣＯＭの極性が反転される時点にゲート信号が印加されるゲートラインは、ｎ個の間隔のフレームにおいて相互に同一である。したがって、共通電圧ＶＣＯＭの極性が反転される時点から複数のゲートラインＧＬ１、…、ＧＬｎのそれぞれにゲート信号が印加されて液晶キャパシタＣＬＣが再充電されるときまでの平均時間は、複数のゲートラインＧＬ１、…、ＧＬｎのそれぞれに対して相互に同一である。その結果、表示パネル１００の上部と下部との間の輝度差は、減少する。
【００７０】
一方、図１１に示されているように、共通電圧ＶＣＯＭの極性が反転される周期は、フレーム周期よりゲート信号が印加される周期Ｔほど小さい。したがって、図１２、図１３、図１４および図１５に示されているように、図１１に示す表示パネル駆動方法によって表示パネル１００が駆動される場合には、表示パネル１００は、フレーム周期と１列ずつ外れながらフレーム反転方式で駆動される。
【００７１】
なお、図１１では、共通電圧ＶＣＯＭの極性が反転される周期がフレームの周期よりゲート信号が印加される周期Ｔほど小さい場合を示しているが、本発明の実施形態に係る表示パネル駆動方法は、上記に限られない。例えば、本発明の実施形態に係る表示パネル駆動方法では、例えば、共通電圧ＶＣＯＭの極性が反転される周期が、フレームの周期よりゲート信号が印加される周期Ｔほど大きくてもよい。また、共通電圧ＶＣＯＭの極性が反転される周期がフレームの周期の半分より小さいと電力消耗が増加し、共通電圧ＶＣＯＭの極性が反転される周期がフレームの周期の１．５倍より大きいと液晶物質の劣化を防止することが困難となるため、例えば、共通電圧ＶＣＯＭの極性が反転される周期は、フレームの周期よりゲート信号が印加される周期Ｔの整数倍ほど小さくフレームの周期の半分より大きかったり、フレームの周期よりゲート信号が印加される周期Ｔの整数倍ほど大きくフレームの周期の１．５倍より小さくてもよい。一方、フレーム周期は、外部から制御部２１０が受信する垂直同期信号ＶＳＹＮＣに基づいて決定されるため、共通電圧ＶＣＯＭの極性が反転される周期は、例えば、垂直同期信号ＶＳＹＮＣの周期よりゲート信号が印加される周期Ｔの整数倍ほど小さく垂直同期信号ＶＳＹＮＣの周期の半分より大きかったり、垂直同期信号ＶＳＹＮＣの周期よりゲート信号が印加される周期Ｔの整数倍ほど大きく垂直同期信号ＶＳＹＮＣの周期の１．５倍より小さくてもよい。
【００７２】
図１６は、図１の表示装置に含まれる表示パネルの上部基板の他の形態を示した図面である。
【００７３】
図１６を参照すると、上部基板１２０ｂは、下部基板１１０の画素電極ＰＥに対向する共通電極ＣＥ１、…、ＣＥｎと、第１共通電圧ラインＶＣＬ１と、第２共通電圧ラインＶＣＬ２とを含む。第１共通電極は、第１共通電圧ラインＶＣＬ１に接続され、第１共通電極と交代で配置される第２共通電極は、第２共通電圧ラインＶＣＬ２に接続される。ここで、第１共通電極は、例えば奇数番目の共通電極であってもよく、第２共通電極は、例えば偶数番目の共通電極であってもよい。または、第１共通電極は、例えば偶数番目の共通電極でもあって、第２共通電極は、例えば奇数番目の共通電極であってもよい。図１６においてｈは正の整数を示し、また、図１６では、第１共通電極は奇数番目の共通電極であり、第２共通電極は偶数番目の共通電極の場合を示している。第１共通電極は、第１ゲートラインに接続される画素電極ＰＥに対向され、第２共通電極は、第１ゲートラインと交代で配置される第２ゲートラインに接続される画素電極ＰＥに対向される。ここで、第１ゲートラインは、例えば奇数番目のゲートラインであってもよく、第２ゲートラインは、例えば偶数番目のゲートラインであってもよい。また、第１ゲートラインは、例えば偶数番目のゲートラインであってもよく、第２ゲートラインは、例えば奇数番目のゲートラインであってもよい。
【００７４】
電圧生成部２２０は、相互に同一な周期によって極性が反転されゲート信号が印加される周期Ｔほどの時間間隔をおいて相互反対極性で反転される第１共通電圧ＶＣＯＭ１および第２共通電圧ＶＣＯＭ２を生成する。本発明の実施形態において、電圧生成部２２０は、例えば、相互に同一な周期によって極性が反転され同一なタイミングで相互反対極性で反転される第１共通電圧ＶＣＯＭ１および第２共通電圧ＶＣＯＭ２を生成することもできる。第１共通電圧ＶＣＯＭ１は、第１共通電圧ラインＶＣＬ１に印加されて、第２共通電圧ＶＣＯＭ２は、第２共通電圧ラインＶＣＬ２に印加される。したがって、第１共通電圧ＶＣＯＭ１は、例えば奇数番目のゲートラインに接続される画素に共通に印加され、第２共通電圧ＶＣＯＭ２は、例えば偶数番目のゲートラインに接続される画素に共通に印加される。また、第１共通電圧ＶＣＯＭ１は、例えば偶数番目のゲートラインに接続される画素に共通に印加され、第２共通電圧ＶＣＯＭ２は、例えば奇数番目のゲートラインに接続される画素に共通に印加されることができる。表示パネル１００が、図１６に示されたような上部基板１２０ｂを含む場合、表示パネル１００は、ライン反転方式で駆動される。
【００７５】
図１７は、従来技術による図１６の上部基板を含む表示パネルのライン反転方式駆動方法を説明するためのタイミング図である。図１８、図１９、図２０および図２１は、図１７の表示パネル駆動方法に係る共通電圧の極性変化を示した図面である。
【００７６】
図１７を参照すると、それぞれのフレームごとに複数のゲートラインＧＬ１、…、ＧＬｎに順次に一定な周期Ｔによってゲート信号が印加される。第１共通電圧ＶＣＯＭ１および第２共通電圧ＶＣＯＭ２は、フレーム周期と同期され極性が反転される。フレーム周期と第１共通電圧ＶＣＯＭ１および第２共通電圧ＶＣＯＭ２の極性反転周期は同一であり、それぞれのフレーム内で第１共通電圧ＶＣＯＭ１の極性が反転される時点は同一であり、それぞれのフレーム内で第２共通電圧ＶＣＯＭ２の極性が反転される時点は同一である。すなわち、全てのフレーム内で同一に最上部ゲートラインＧＬ１にゲート信号が印加されるとき、第１共通電圧ＶＣＯＭ１および第２共通電圧ＶＣＯＭ２の極性は反転される。
【００７７】
図１７に示されているように、ｋ番目フレームおよびｋ＋２番目フレームにおいて第１共通電圧ＶＣＯＭ１は正の極性を有し、第２共通電圧ＶＣＯＭ２は負の極性を有する。また、ｋ＋１番目フレームおよびｋ＋３番目フレームにおいて第１共通電圧ＶＣＯＭ１は負の極性を有し、第２共通電圧ＶＣＯＭ２は正の極性を有する。また、上述したように、例えば、第１共通電圧ＶＣＯＭ１は奇数番目のゲートラインに接続される画素に印加され、第２共通電圧ＶＣＯＭ２は偶数番目のゲートラインに接続される画素に印加され、または、第１共通電圧ＶＣＯＭ１は偶数番目のゲートラインに接続される画素に印加され、第２共通電圧ＶＣＯＭ２は奇数番目のゲートラインに接続される画素に印加される。したがって、図１８、図１９、図２０および図２１に示されているように、水平ライン単位で共通電圧ＶＣＯＭの極性が反転され、表示パネル１００は、ライン反転方式で駆動される。
【００７８】
図１７に示されたような方式で表示パネル１００が駆動される場合、第１共通電圧ＶＣＯＭ１および第２共通電圧ＶＣＯＭ２の極性が反転される時点から複数のゲートラインＧＬ１、…、ＧＬｎそれぞれにゲート信号が印加されて液晶キャパシタＣＬＣが再充電されるときまでの平均時間は、表示パネル１００の最上部に位置するゲートラインＧＬ１に接続される液晶キャパシタＣＬＣが最も短く、液晶キャパシタＣＬＣが接続されるゲートラインが表示パネル１００の下部に位置するほど平均時間は長くなり、表示パネル１００の最下部に位置するゲートラインＧＬｎに接続される液晶キャパシタＣＬＣが最も長くなる。したがって、表示パネル１００の下部が上部に比べて液晶キャパシタＣＬＣに保存された電圧が低くなる区間が長くされて表示パネル１００の下部に位置する液晶キャパシタＣＬＣの実効電圧が表示パネル１００の上部に位置する液晶キャパシタＣＬＣの実効電圧に比べて低くなる。これによって、表示パネル１００の下部が上部に比べて輝度が低くなる問題点が発生する。
【００７９】
図２２は、本発明の一実施形態に係る図１６の上部基板を含む表示パネルのライン反転方式駆動方法を説明するためのタイミング図である。図２３、図２４、図２５および図２６は、図２２の表示パネル駆動方法に係る共通電圧の極性変化を示した図面である。
【００８０】
図１６を参照して説明した通り、例えば、第１共通電圧ＶＣＯＭ１は奇数番目のゲートラインに接続される画素に共通に印加されて、第２共通電圧ＶＣＯＭ２は偶数番目のゲートラインに接続される画素に共通に印加されたり、または、第１共通電圧ＶＣＯＭ１は偶数番目のゲートラインに接続される画素に共通に印加され、第２共通電圧ＶＣＯＭ２は奇数番目のゲートラインに接続される画素に共通に印加される。
【００８１】
図２２を参照すると、それぞれのフレームごとに複数のゲートラインＧＬ１、…、ＧＬｎに順次に一定な周期Ｔによってゲート信号が印加される。第１共通電圧ＶＣＯＭ１および第２共通電圧ＶＣＯＭ２は、フレーム周期と非同期であり極性が反転される。第１共通電圧ＶＣＯＭ１および第２共通電圧ＶＣＯＭ２は、相互に同一な周期によって極性が反転してゲート信号が印加される周期Ｔほどの時間間隔をおいて相互反対極性で反転される。しかし、本発明の実施形態では、第１共通電圧ＶＣＯＭ１および第２共通電圧ＶＣＯＭ２は相互に同一な周期によって極性が反転され、同一なタイミングで相互反対極性で反転される。例えば、第２共通電圧ＶＣＯＭ２は、第１共通電圧ＶＣＯＭ１の極性が反転される時点と同一な時点に第１共通電圧ＶＣＯＭ１と反対極性で反転される信号であってもよい。
【００８２】
図２２では、第１共通電圧ＶＣＯＭ１および第２共通電圧ＶＣＯＭ２の極性が反転される周期が、フレームの周期よりゲート信号が印加される周期Ｔの２倍ほど小さい場合を示している。フレーム周期と第１共通電圧ＶＣＯＭ１および第２共通電圧ＶＣＯＭ２の極性反転周期は相異し、それぞれのフレーム内で第１共通電圧ＶＣＯＭ１の極性が反転される時点は、隣接するフレームにおいて相異なり、それぞれのフレーム内で第２共通電圧ＶＣＯＭ２の極性が反転される時点は、隣接するフレームにおいて相異なる。すなわち、第１共通電圧ＶＣＯＭ１の極性が反転される時点にゲート信号が印加されるゲートラインは、隣接するフレームにおいて相異なり、第２共通電圧ＶＣＯＭ２の極性が反転される時点にゲート信号が印加されるゲートラインは、隣接するフレームにおいて相異なる。また、複数のゲートラインの個数が２ｓ（ｓは正の整数）の場合、第１共通電圧ＶＣＯＭ１の極性が反転される時点にゲート信号が印加されるゲートラインは、ｓ個の間隔のフレームにおいて相互に同一であり、第２共通電圧ＶＣＯＭ２の極性が反転される時点にゲート信号が印加されるゲートラインは、ｓ個の間隔のフレームにおいて相互に同一である。したがって、第１共通電圧ＶＣＯＭ１および第２共通電圧ＶＣＯＭ２の極性が反転される時点から複数のゲートラインＧＬ１、…、ＧＬｎのそれぞれにゲート信号が印加されて液晶キャパシタＣＬＣが再充電される時までの平均時間は、複数のゲートラインＧＬ１、…、ＧＬｎのそれぞれに対して相互に同一である。これによって、表示パネル１００の上下部間に輝度差が減少する。
【００８３】
一方、図２２に示されているように、第１共通電圧ＶＣＯＭ１および第２共通電圧ＶＣＯＭ２の極性が反転される周期は、フレーム周期よりゲート信号が印加される周期Ｔの２倍ほど小さい。したがって、図２３、図２４、図２５および図２６に示されているように、図２２に示す表示パネル駆動方法によって表示パネル１００が駆動される場合には、表示パネル１００は、フレーム周期と２列ずつ外れながらライン反転方式で駆動される。
【００８４】
なお、図２２では、第１共通電圧ＶＣＯＭ１および第２共通電圧ＶＣＯＭ２の極性が反転される周期がフレームの周期よりゲート信号が印加される周期Ｔの２倍ほど小さい場合を示しているが、本発明の実施形態に係る表示パネル駆動方法は、上記に限られない。例えば、本発明の実施形態に係る表示パネル駆動方法では、例えば、第１共通電圧ＶＣＯＭ１および第２共通電圧ＶＣＯＭ２の極性が反転される周期は、フレームの周期よりゲート信号が印加される周期Ｔの２倍ほど大きくてもよい。また、第１共通電圧ＶＣＯＭ１および第２共通電圧ＶＣＯＭ２の極性が反転される周期がフレームの周期の半分より小さいと電力消耗が増加し、第１共通電圧ＶＣＯＭ１および第２共通電圧ＶＣＯＭ２の極性が反転される周期がフレームの周期の１．５倍より大きいと液晶物質の劣化を防止することが困難となるため、例えば、第１共通電圧ＶＣＯＭ１および第２共通電圧ＶＣＯＭ２の極性が反転される周期は、フレームの周期よりゲート信号が印加される周期Ｔの整数倍ほど小さくフレームの周期の半分より大きかったり、フレームの周期よりゲート信号が印加される周期Ｔの整数倍ほど大きくフレームの周期の１．５倍より小さくてもよい。一方、フレーム周期は外部から制御部２１０が受信する垂直同期信号ＶＳＹＮＣに基づいて決定されるため、第１共通電圧ＶＣＯＭ１および第２共通電圧ＶＣＯＭ２の極性が反転される周期は、例えば、垂直同期信号ＶＳＹＮＣの周期よりゲート信号が印加される周期Ｔの整数倍ほど小さく垂直同期信号ＶＳＹＮＣの周期の半分より大きかったり、垂直同期信号ＶＳＹＮＣの周期よりゲート信号が印加される周期Ｔの整数倍ほど大きく垂直同期信号ＶＳＹＮＣの周期の１．５倍より小さくてもよい。
【００８５】
図２７は、図１の表示装置を含む電子機器を示したブロック図である。
【００８６】
図２７を参照すると、電子機器１０００は、プロセッサ１１００（ＰＲＯＣＥＳＳＯＲ）、メモリ１２００（ＭＥＭＯＲＹ）、入出力装置１３００（Ｉ/Ｏ）および表示装置１４００（ＤＩＳＰＬＡＹ）を含むことができる。
【００８７】
プロセッサ１１００は、例えば、特定計算、または、タスク（ｔａｓｋ）を遂行する特定のソフトウェアを実行するような多様なコンピューティング機能を実行することができる。例えば、プロセッサ１１００は、マイクロプロセッサ、または、中央処理装置（Ｃｅｎｔｒａｌ  Ｐｒｏｃｅｓｓｉｎｇ  Ｕｎｉｔ；ＣＰＵ）であってもよい。プロセッサ１１００は、バス１００１を通じてメモリ１２００に接続される。
【００８８】
メモリ１２００としては、例えば、動的ランダムアクセスメモリ（Ｄｙｎａｍｉｃ  Ｒａｎｄｏｍ  Ａｃｃｅｓｓ  Ｍｅｍｏｒｙ；ＤＲＡＭ）や、静的ランダムアクセスメモリ（Ｓｔａｔｉｃ  Ｒａｎｄｏｍ  Ａｃｃｅｓｓ  Ｍｅｍｏｒｙ；ＳＲＡＭ）などのような揮発性メモリや、イーピーロム（Ｅｒａｓａｂｌｅ  Ｐｒｏｇｒａｍｍａｂｌｅ  Ｒｅａｄ-Ｏｎｌｙ  Ｍｅｍｏｒｙ；ＥＰＲＯＭ）、イーイーロム（Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ；ＥＥＰＲＯＭ）、フラッシュメモリ（ｆｌａｓｈ  ｍｅｍｏｒｙ  ｄｅｖｉｃｅ）などのような不揮発性メモリなどが挙げられる。メモリ１２００は、プロセッサ１１００によって実行されるソフトウェアを保存することができる。
【００８９】
入出力装置１３００としては、例えば、バス１００１に接続されキーボード、または、マウスのような入力手段およびプリンタのような出力手段が挙げられる。プロセッサ１１００は、入出力装置１３００の動作を制御することができる。
【００９０】
表示装置１４００は、バス１００１を通じてプロセッサ１１００と接続される。上述したように、表示装置１４００は、複数のゲートラインおよび複数のデータラインに接続される複数の画素を含む表示パネル１００と、表示パネル１００を駆動するための駆動ユニット２００とを含む。駆動ユニット２００は、それぞれのフレームごとに複数のゲートラインＧＬ１、…、ＧＬｎに順次にゲート信号を印加し、複数のデータラインＤＬ１、…、ＤＬｍにデータ電圧を印加し、複数の画素Ｐにフレームの周期と非同期であり極性が反転される共通電圧ＶＣＯＭを印加する。上述したように、共通電圧の極性が反転される時点があるフレーム周期内で均等に分散することによって、表示パネル１００の上部と下部との間に発生する輝度差が減少する。本発明の実施形態に係る表示パネル１００は、例えば、フレーム反転方式で駆動され、また、ライン反転方式で駆動されることもできる。
【００９１】
電子機器１０００は、例えば、表示装置１４００を通じてユーザに画像を提供する携帯電話や、スマートフォン、テレビ受像機、ＰＤＡ（Ｐｅｒｓｏｎａｌ  Ｄｉｇｉｔａｌ  Ａｓｓｉｓｔａｎｔ）、ＭＰ３プレーヤ、ノートブックコンピュータ、デスクトップコンピュータ、デジタルカメラなどの、任意の電子装置であってもよい。
【産業上の利用可能性】
【００９２】
本発明の実施形態は、フレーム反転、または、ライン反転を実現しながらも表示パネルの上部と下部との間に発生する輝度差を効率的に減少させるために利用され、例えば、高画質が求められるテレビ受像機、携帯電話などの表示装置に有用に利用される。
【００９３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００９４】
１００    表示パネル
１１０    下部基板
１２０    上部基板
１３０    液晶層
２００    駆動ユニット
２１０    制御部
２２０    電圧生成部
２３０    ゲート駆動部
２４０    データ駆動部
【図１】
2012098696.tif 000003
【図２】
2012098696.tif 000004
【図３】
2012098696.tif 000005
【図４】
2012098696.tif 000006
【図５】
2012098696.tif 000007
【図６】
2012098696.tif 000008
【図７】
2012098696.tif 000009
【図８】
2012098696.tif 000010
【図９】
2012098696.tif 000011
【図１０】
2012098696.tif 000012
【図１１】
2012098696.tif 000013
【図１２】
2012098696.tif 000014
【図１３】
2012098696.tif 000015
【図１４】
2012098696.tif 000016
【図１５】
2012098696.tif 000017
【図１６】
2012098696.tif 000018
【図１７】
2012098696.tif 000019
【図１８】
2012098696.tif 000020
【図１９】
2012098696.tif 000021
【図２０】
2012098696.tif 000022
【図２１】
2012098696.tif 000023
【図２２】
2012098696.tif 000024
【図２３】
2012098696.tif 000025
【図２４】
2012098696.tif 000026
【図２５】
2012098696.tif 000027
【図２６】
2012098696.tif 000028
【図２７】
2012098696.tif 000029